(57)【特許請求の範囲】
【請求項１】
略円筒形状のフック部材の下端面が室内側に露出するように天井に設置され、該フック部材の下端面を上方へ押すことで、フック部材の本体部を室内側へ引き出し、フック部材に物干し用ハンガー等を吊り下げる吊掛装置であって、
該フック部材は、吊り下げ用の引掛部を有する本体部と該本体部の上方側に位置する警告表示部を有し、
該フック部材の下端面を押すことでフック部材の本体部を室内側へ引き出す手段と、  該フック部材に一定以上の荷重がかかると、該フック部材の本体部が下降して該フック部材の警告表示部が室内側に露出して過荷重の警告を行う手段と、を備え、
該フック部材の本体部を室内側へ引き出す手段及び該過荷重の警告を行う手段を、円筒ケース内に収容したものであり、
該フック部材の本体部を室内側へ引き出す手段が、
突起の最初の押圧により開き、該突起の次の押圧により閉じる一対のラッチ挟持爪を有するラッチと、
該ラッチ挟持爪に係合する突起と、ピニオン回転軸がダンパ可動部材の軸芯と直交する径方向に延びるピニオンとを有する共に、フック部材吊り下げ用のシャフトを支持するダンパ可動部材と、
該ピニオンと螺合するラックを上下方向に配置すると共に、該ダンパ可動部材を収容する固定側筒状ケースと、
該ダンパ可動部材と該ラッチ間に介在する第２弾性体とからなることを特徴とする吊掛装置。
【請求項２】
該過荷重の警告を行う手段において、該フック部材に一定以上の荷重がかかると、第１弾性体の付勢力に抗して該フック部材の本体部が下降することを特徴とする請求項１記載の吊掛装置。
【請求項３】
該固定側筒状ケースは、円筒状であって、周壁に高さ方向に長い開口部を形成し、該開口部の両側の中、一方の側にラックを形成したことを特徴とする請求項１又は２記載の吊掛装置。
【請求項４】
該円筒ケースは、天井裏に位置することを特徴とする請求項１〜３のいずれか１項に記載の吊掛装置。
【発明の詳細な説明】
【技術分野】
【０００１】
本発明は、フック部材の本体部が天井裏に、フック部材の下端面が室内側に露出するように天井に設置され、使用時には、フック部材の下端面を上方へ押すことで、フック部材の本体部を室内側へ引き出し、このフック部材の本体部に物干し用ハンガー等を吊り下げて使用する吊掛装置に関するものである。
【背景技術】
【０００２】
室内の天井に支持具を付設し、該支持具に吊掛装置を着脱自在に懸架することにより、物干し具あるいは観葉植物等を吊り下げて使用する吊掛装置が多数提案されている。
【０００３】
特開２００８−１９４３２４号公報には、天井面等に取り付けられる支持具に、シャフトに引掛具を設けた吊掛具を回動して着脱することができる吊掛装置において、吊掛具は、シャフトの下端部に連係筒を設けると共に、連係筒には下方に開口する凹部である収容部を設け、引掛具は、上端部に連係突起を設け、この連係突起を連係筒の収容部に挿入して収容するよう、弾性体によって上方に付勢して吊掛具の下端部に取り付けられ、連係筒及び連係突起には互いに接触する接触部をそれぞれ設けると共に、連係突起の外周には表示部を設けて成り、引掛具に荷重がかかっていない時には弾性体の付勢力によって、連係筒と連係突起のそれぞれ接触部が接触して引掛具はシャフトと一緒に回動すると共に、連係突起の表示部が連係筒に収容されている状態に保持されるよう構成し、引掛具は一定以上の力で回動すると空転するように設定されていると共に、引掛具に一定以上の荷重がかかると弾性体の付勢力に抗して、連係突起が下動してその表示部が連係筒から露出するように設定されている吊掛装置が開示されている。
【０００４】
特開２００８−１９４３２４号公報の吊掛装置によれば、部品数の少ない単純な構造で、正常な回動操作でない時に、引掛具を無理に回動しても引掛具は空転し、吊掛具や支持具に過剰な力がかかって壊れてしまうことがないという効果と過荷重の警告を表示する効果を同時に奏することができるものである。
【発明の開示】
【発明が解決しようとする課題】
【０００５】
しかしながら、特開２００８−１９４３２４号公報の吊掛装置は、使用時は、天井面等に取り付けられる支持具に引掛け具（フック部材）を先端に備えるシャフトを装着するものである。このため、引掛け具を先端に備えるシャフトの装着という操作が必要であり、面倒である。また、不使用時はシャフトを保管する必要がある。また、不使用時にシャフトを紛失する恐れもある。
【０００６】
従って、本発明の目的は、従来の過荷重の警告を表示する効果を保持しつつ、使用時に道具の付け替えを不要とし、ワンタッチ操作で使用できる吊掛装置を提供することにある。
【課題を解決するための手段】
【０００７】
かかる実情において、本発明者は鋭意検討を行った結果、フック部材の本体部を室内側へ引き出す手段及び該過荷重の警告を行う手段を円筒ケース内に収容すれば、円筒ケース内を天井裏に、フック部材の下端面を室内側に露出するように天井に設置でき、該フック部材の下端面を上方へ押すことで、フック部材の本体部を室内側へ引き出し、フック部材に物干し用ハンガー等を吊り下げることができる吊掛装置を提供できること、この吊掛装置であれば、従来の過荷重の警告を表示する効果を保持しつつ、使用時に道具の付け替えを不要とし、ワンタッチ操作で使用できることなどを見出し、本発明を完成するに至った。
【０００８】
すなわち、本発明は、略円筒形状のフック部材の下端面が室内側に露出するように天井に設置され、該フック部材の下端面を上方へ押すことで、フック部材の本体部を室内側へ引き出し、フック部材に物干し用ハンガー等を吊り下げる吊掛装置であって、該フック部材は、吊り下げ用の引掛部を有する本体部と該本体部の上方側に位置する警告表示部を有し、該フック部材の下端面を押すことでフック部材の本体部を室内側へ引き出す手段と、該フック部材に一定以上の荷重がかかると、該フック部材の本体部が下降して該フック部材の警告表示部が室内側に露出して過荷重の警告を行う手段と、を備え、該フック部材の本体部を室内側へ引き出す手段及び該過荷重の警告を行う手段を、円筒ケース内に収容したものであり、該フック部材の本体部を室内側へ引き出す手段が、突起の最初の押圧により開き、該突起の次の押圧により閉じる一対のラッチ挟持爪を有するラッチと、該ラッチ挟持爪に係合する突起と、ピニオン回転軸がダンパ可動部材の軸芯と直交する径方向に延びるピニオンとを有する共に、フック部材吊り下げ用のシャフトを支持するダンパ可動部材と、該ピニオンと螺合するラックを上下方向に配置すると共に、該ダンパ可動部材を収容する固定側筒状ケースと、該ダンパ可動部材と該ラッチ間に介在する第２弾性体とからなることを特徴とする吊掛装置を提供するものである。
【発明の効果】
【０００９】
本発明によれば、従来の過荷重の警告を表示する効果を保持しつつ、使用時に道具の付け替えを不要とし、ワンタッチ操作で使用できる。また、不使用時は天井面から室内側へ実質的に突出するものはなく、高級感を与えると共に、安全である。
【図面の簡単な説明】
【００１０】
【図１】不使用時における吊掛装置の正面図である。
【図２】使用時における吊掛装置の正面図である。
【図３】（Ａ）が不使用時における吊掛装置の斜視図、（Ｂ）が使用時における吊掛装置の斜視図である。
【図４】本例の吊掛装置の分解斜視図である。
【図５】（Ａ）が不使用時における吊掛装置の断面図、（Ｂ）が使用時における吊掛装置の断面図、（Ｃ）が過荷重の警告を表示する吊掛装置の断面図である。
【図６】使用時における吊掛装置の左側面図である。
【図７】他の形態例の吊掛装置の固定側筒状部材の斜視図である。
【図８】他の形態例の吊掛装置の可動部材の斜視図である。
【発明を実施するための形態】
【００１１】
次に、本発明の第１の実施の形態における吊掛装置を図１〜図６を参照して説明する。なお、図３は天井面の記載を省略した。吊掛装置１０は、略円筒形状のフック部材２の下端面７３が室内側３０に露出するように天井２０に設置され、フック部材２の下端面７３を上方（図１中、矢印Ｘ方向）へ押すことで、ラッチ８を作動させ、フック部材２の本体部２２を室内側３０へ引き出し、フック部材２に物干し用ハンガー等を吊り下げる装置である。なお、図２中、符号２３は本体部２２に形成される引掛部（貫通孔）であって、この引掛部に物干し用ハンガー等の吊り下げ具が引掛けられる。
【００１２】
吊掛装置１０は、フック部材２を円筒ケース１Ａに収容したものである。円筒ケース１Ａは、本例では下方から上方に向けて３つのパーツ、すなわち、基台１、固定側筒状ケース４及びラッチケース９の接合物である。基台１は下端に天井面に螺子止めされる鍔部１１を有している。従って、円筒ケース１Ａにおいて、室内側に露出するのは鍔部１１であり、他の部分は天井裏に配置される。なお、吊掛装置１０が取付られる天井面には必要に応じて支持用の補強をしてもよい。
【００１３】
基台１は、天井２０に設置される部分であり、フック部材２が出没する開口１５を中心部に備える。基台１の円筒状本体１２の内面の両側にはダンパ可動部材３のガイド突起３５をガイド及び下降を規制するガイド溝１３が形成され、内面の上部であってガイド溝１３と９０度変位する両側には固定側筒状ケース４の下係止片４４が嵌る係止溝１４が形成されている。ガイド溝１３は、基台１の円筒状本体１２の長さ方向の途中まで形成されており、ダンパ可動部材３の下降を制限するストッパーとなっている。
【００１４】
固定側筒状ケース４は、ダンパ可動部材３をガイドしつつ上下移動自在に収容すると共に、ダンパを構成する１つの要素であるダンパ固定部材となるものである。すなわち、固定側筒状ケース４は、所定長さの円筒状であって、円筒本体４１には、高さ方向に長い開口部４５を有し、上端には上係止片４３を、下端には下係止片４４を形成している。開口部４５の両側の中、一方の側にはラック４２が形成されている。このラック４２は、横向きの歯が上下方向に多数並んだものであり、ダンパ可動部材３のピニオン１６２が螺合することで、ロータリダンパを構成している。従って、開口部４５の開口長さはフック部材２の使用時に引き出されるストロークと略同じであり、開口幅はピニオン１６２径と略同じである。なお、開口部４５は蓋部材４６で閉じられる。固定側筒状ケース４の下係止片４４は、基台１の係止溝１４に嵌る。
【００１５】
ラッチケース９は、ラッチ８を固定する円筒形状のものである。ラッチケース９は固定側筒状ケース４の上係止片４３に嵌る。
【００１６】
円筒ケース１Ａ内には、フック部材２、フック部材２の本体部２２を室内３０側へ引き出す手段及び過荷重の警告を行う手段が収容されている。
【００１７】
フック部材２は、略円筒形状であって、引掛具を吊り下げるための引掛部２３を有する本体部２２と、本体部２２の上方側に位置する警告表示部２１と、本体部２２の径より大の径を有する円板状の基部２４とからなる。本体部２２の引掛部２３は、円筒形側面の一部のくり抜き形状であって、一対の湾曲した側板で囲まれたものである。これにより、引掛具が嵌る空間を広くとっている。警告表示部２１は円柱部材であり、中心にはシャフト５が通る孔２７が形成され、円周面は例えば赤色に着色されるか又は赤色シールが貼られる。円板状の基部２４は、室内側に露出する部分であり、中心にはシャフト５が通る孔が形成されている。円板状の基部２４は、指で押されるフック部材２の下端面を形成できるが、本例ではフックキャップ７が嵌るため、フックキャップ７の下端面７１がフック部材２の下端面となる。
【００１８】
次に、フック部材２の本体部２２を室内３０側へ引き出す手段（以下、単に、「フック部材を引き出す手段」とも言う。）について説明する。フック部材を引き出す手段は、ラッチ８に挟持され不使用状態にあるフック部材２を、ラッチ８の挟持を解除して、使用状態にする手段を言う。すなわち、フック部材を引き出す手段は、突起３１の最初の押圧により開き、突起３１の次の押圧により閉じる一対のラッチ挟持爪８２を有するラッチ８と、ラッチ挟持爪８２に係合する突起３１と、ピニオン回転軸がダンパ可動部材３の軸芯と直交する径方向に延びるピニオン１６２とを有し、フック部材吊り下げ用のシャフト５を支持するダンパ可動部材３と、ピニオン１６２と螺合するラック４２を上下方向に配置すると共に、ダンパ可動部材３を収容する固定側筒状ケース４と、ダンパ可動部材３とラッチ８間に介在する第２弾性体６とから構成される。
【００１９】
ラッチ８は、フックラッチと称されるものであり、被挟持物の最初の上方への押圧により開き、被挟持物の次の上方への押圧により閉じる一対のラッチ挟持爪を下端に有するものである。すなわち、一対のラッチ挟持爪８２の根元の当接部に、被挟持物の突起が繰り返し当たることで、一対のラッチ挟持爪は開と閉を繰り返すものであり、例えば、市販のプッシュラッチ「型番；ＴＬ−２３６」（栃木屋社製）等が使用できる。本例のラッチ８は、公知のものであって、箱状のラッチ本体８１と、ラッチ本体８１内に収容される下方にバネ付勢された一対のラッチ挟持爪８２とからなり、ラッチ本体８１の開口の幅寸法を狭くし、一対のラッチ挟持爪の没入により、ラッチ挟持爪８２が閉じるものである。また、ラッチ本体８１には、バネの付勢力に抗して没入した一対のラッチ挟持爪８２の基端部に係止し、再度の没入で係止が外れる移動玉が配置されている。移動玉の係止及び係止の解除は、箱状のラッチ本体８１の側壁に形成されたハート形の溝内を移動玉が移動することで達成できる。すなわち、一対のラッチ挟持爪８２の基部にダンパ可動部材３の突起３１が当たると移動玉がハート形溝の中心部から下方へ移動し、移動玉と一対のラッチ挟持爪の基端部との係止が外れて一対のラッチ挟持爪８２は下方移動して開き、更に一対のラッチ挟持爪８２の基部に突起３１が当たると一対のラッチ挟持爪８２は箱状のラッチ本体８１内に没入し、移動玉がハート溝の下方から中心へ移動して一対のラッチ挟持爪の基端部と係止し、一対のラッチ挟持爪８２が閉じるものである。
【００２０】
ダンパ可動部材３は、ラッチ挟持爪８２に係合する係止部３１１が形成された突起３１と、ピニオン回転軸（不図示）が軸芯と直交する方向に延びるピニオン１６２とを有し、フック部材吊り下げ用のシャフト５を支持するものである。軸芯とは、ダンパ可動部材３の上下方向に延びる中心軸の軸芯を言う。
【００２１】
ダンパ可動部材３は、概ね円筒形状であって、円筒形状の上部は、ピニオン部材１６が設置される取付側壁３２であり、中央部は、支持具９２ａ及び第１弾性体９４を収納する支持具収納部３３であり、下部は、フック部材２の円柱状の警告表示部２１が嵌る円筒状スカート部３４である。中央部と下部は、中央にシャフト５が通る孔３７が形成される隔壁３６で区画されている。また、ダンパ可動部材３の外周面の両側には、所定幅と所定長さのガイド突起３５が形成されている。ガイド突起３５は、固定側筒状ケース４内において、ガイド溝４７にガイドされると共に、基台１のガイド溝１３の下方内壁に当たって、下降移動が規制される。
【００２２】
ピニオン部材１６は、ピニオン１６２と、螺子孔を備えるピニオン基台１６１とからなる。ピニオン基台１６１は、ダンパ可動部材３の取付側壁３２に螺子１７により螺子止めされ、ピニオン１６２は、ピニオン回転軸によりピニオン基台１６１に回転自在に設置される。
【００２３】
支持具９２ａは、フック部材吊り下げ用のシャフト５を第１弾性体９４を介在して支持するものであり、本例では、ピン受け９２と、ピン９３と、ワッシャ９１からなる。フック部材吊り下げ用のシャフト５は棒状部材であって、シャフト５の径よりも大の径の頭部５３を下端に、ピン本体５１を径方向に貫通するピン挿入孔５２を上方に有している。シャフト５はフック部材２の下方から上方に挿入され、円柱状の警告表示部２１の孔２７の下端で頭部５３が係止し、ピン本体５１の半分以上が支持具収納部３３に頭出しされる。頭出しされたシャフト５に、大小２つのバネ９４ａ、９４ｂ、ワッシャ９１及びピン受け９２が重ねられ、ピン受け９２の上方でシャフト５のピン挿入孔５２にピン９３を挿入し、次いで、ピン受け９２とピン９３を係合させる。このように、支持具収納部３３には、支持具９２ａ、第１弾性体９４及びシャフト５の一部が収容される。また、フック部材２の円柱状の警告表示部２１は、ダンパ可動部材３の下部の円筒状スカート部３４に嵌る。なお、フック部材２はダンパ可動部材３に嵌る前に、基台１を嵌めこんでおく。そして、フック部材２に下方に向けて一定以上の荷重がかかると、第１弾性体９４の付勢力に抗してフック部材２の本体部２２が下降し、警告表示部２１がダンパ可動部材３の円筒状スカート部３４から現れる。
【００２４】
ダンパ可動部材３とラッチ８間には第２弾性体であるバネ６が介在する。第２弾性体は、吊掛装置１０の使用時、ダンパ可動部材３とラッチ８の係合が解かれる際、弾発力を発揮して、ダンパ可動部材３に下降移動を与えるものである。なお、フック部材２の下端にはフックキャップ７が嵌められ、フック部材２の円板基部２４に形成されたシャフト５が通る孔を塞いでいる。また、吊掛装置１０は、基台１の鍔部の螺子孔を通して天井２０に螺子止めされる。更に、本例では、カバー部材１１１を基台１の鍔部１１に被せて、螺子を見えないようにしている。
【００２５】
吊掛装置１０のフック部材を引き出す手段において、フック部材２の本体部２２を室内側に引き出すには、先ず、フック部材２の下端面７１を押す。これにより、ラッチ８のラッチ挟持爪８２が開いて、ラッチ挟持爪８２とダンパ可動部材３の突起３１の係合を解除する。この解除と同時に、ダンパ可動部材３等の自重と第２弾性体６の弾発力により、ダンパ可動部材３は下降する。フック部材２は、ダンパ可動部材３に固定されているため、フック部材２も同様に下降する。
【００２６】
ダンパ可動部材３の下降速度は、ロータリーダンパにより抑制される。ロータリーダンパを設置することで、フック部材２の飛び出しを防止し、部材の損傷を防止することができる。すなわち、ダンパ可動部材３の下降は、ダンパ可動部材３のピニオン１６２と、固定側筒状ケース４のラック４２の螺合により、ダンパ可動部材３の下降速度が抑制される。また、フック部材２の引き出しは、ダンパ可動部材３のガイド突起３５の下端が、基台１のガイド溝１３の下端と当たることで終了する。この状態において、フック部材２の本体部２２は、室内側に露出し、警告表示部２１は、ダンパ可動部材３に隠れたままである（図５（Ｂ））。
【００２７】
吊掛装置１０において、過荷重の警告とは、使用者に吊掛装置１０の耐荷重の限界を知らせるものであり、この警告表示を見ることで、吊掛装置１０に掛ける荷重を軽減することになる。これにより、吊掛装置１０や吊掛装置支持部の破損を防止できる。過荷重の警告を行う手段は、フック部材２と、フック部材吊り下げ用のシャフト５と、シャフト５を第１弾性体９４を介在して支持する支持具９２ａとからなる。支持具９２ａは前述の構成部材からなる。すなわち、第１弾性体９４であるバネは、シャフト５に設置され、下端がダンパ可動部材３の隔壁３６の上面に当接し、上端がシャフト５の上部で固定されるピン受け９２に当接している。すなわち、第１弾性体９４は、ダンパ可動部材３の隔壁３６とピン受け９２間に挟まれている。従って、シャフト５に係止されたフック部材２に一定以上の荷重がかかると、第１弾性体９４の付勢力に抗してフック部材２の本体部２２が下降してフック部材２の警告表示部２１が室内側に露出することになる（図５（Ｃ））。第１弾性体９４は本例では、大小２つのバネ９４ａ、９４ｂからなる。
【００２８】
次に、本発明の第２の実施の形態における吊掛装置を説明する。第２の実施の形態例の吊掛装置において、第１の実施の形態における吊掛装置と異なる点は、ロータリーダンパを省略した点にある。すなわち、ダンパ可動部材３においてピニオン部材１６を省略し、固定側筒状ケース４においてラック４２を省略した点にある。従って、ダンパ可動部材３は可動部材３ａとなる。すなわち、第２の実施の形態における吊掛装置におけるフック部材の本体部を室内側へ引き出す手段は、第１の実施の形態における吊掛装置と同様のラッチと、ラッチ挟持爪に係合する突起３１と、フック部材吊り下げ用のシャフトを支持する可動部材３ａと、可動部材３ａを収容する固定側筒状ケース４ａと、可動部材とラッチ間に介在する第２弾性体とからなる。なお、突起３１は可動部材３ａの上面に突起が上方に向くように設置される。
【００２９】
第２の実施の形態における吊掛装置においては、図８に示すように、可動部材３ａのピニオン部材１６が設置される取付側壁３２は省略できる。このため、可動部材３ａの高さはダンパ可動部材３の高さより低くできる。また、図７に示すように、固定側筒状ケース４ａは、開口部４５が無い筒状部材とすることができる。第２の実施の形態例の吊掛装置によれば、ラッチフック部材２の飛び出しはあるものの、第１の実施の形態例の吊掛装置と同様の効果を奏する。
【００３０】
本発明の吊掛装置において、ラッチ８と突起３１の設置位置は、上記実施の形態のものに限定されず、例えば、突起３１がラッチケースの上面部材の裏面に突起が下方に向くように設置され、ラッチ８がダンパ可動部材３あるいは可動部材３ａの天面に一対の挟持爪が上方を向くように設置するものであってもよい。これにより、ラッチは、突起の最初の押圧により開き、突起の次の押圧により閉じる。
【産業上の利用可能性】
【００３１】
本発明によれば、不使用時、天井面に露出するのは、実質、フック部材の下端面であり、室内の空間を広く採れる。また、従来の過荷重の警告を表示する効果を保持しつつ、使用時に道具の付け替えを不要とし、ワンタッチ操作で使用できる。また、フック部材の引掛部に物干し具あるいは観葉植物等を吊り下げて使用できる。
【符号の説明】
【００３２】
１      基台
１Ａ    円筒ケース
２      フック部材
３      ダンパ可動部材
４      固定側筒状ケース
５      シャフト
６      第２弾性体
７      フックキャップ
８      ラッチ
１０      吊掛装置
２０      天井
３０      室内
９４      第１弾性体
【図１】
0005748260.tif 000002
【図２】
0005748260.tif 000003
【図３】
0005748260.tif 000004
【図４】
0005748260.tif 000005
【図５】
0005748260.tif 000006
【図６】
0005748260.tif 000007
【図７】
0005748260.tif 000008
【図８】
0005748260.tif 000009